(57)【特許請求の範囲】
【請求項１】
マスク本体部と、前記マスク本体部に連接される耳掛け部と、を備えるマスクであって、
前記マスク本体部は、所定の第１の方向及び前記第１の方向と交差する第２の方向にそれぞれ延在する平面部と、前記平面部上を前記第１の方向に延在して形成される襞と、前記第１の方向上の端部領域と、を有し、
前記耳掛け部はシートにより構成されるとともに、接合部と、前記接合部と一体化された環状部を有し、
前記接合部は、前記第２の方向について前記端部領域のほぼ全体にわたり長尺状に延在するとともに前記端部領域に接合され、
前記環状部は、前記接合部と共に耳掛け空間を構成し、また前記接合部の前記第２の方向上の一方の縁部領域から延出する第１延出部と、前記接合部の前記第２の方向上の他方の縁部領域から延出して前記第１延出部に連接される第２延出部とを含み、
更に、前記耳掛け部のうち前記マスク本体部との連接部分に、マスク装着時に前記第１延出部及び前記第２延出部をマスク着用者の耳の付け根の上縁及び下縁へと前記第１延出部及び前記第２延出部の弛みを抑えた状態で延在させるための弛み抑制機構が設けられており、
前記弛み抑制機構は、
前記マスク本体部の前記端部領域の延在線と、前記耳掛け部の前記第１延出部の延出線とがなす前記耳掛け空間側の角度が９０°を下回るとともに８０°を上回る角度にて設定されるとともに、
前記マスク本体部の前記端部領域の延在線と、前記耳掛け部の前記第２延出部の延出線とがなす前記耳掛け空間側の角度が９０°を下回るとともに７０°を上回る角度にて設定されるように前記耳掛け部が前記マスク本体部に連接された連接構造を含み、
これによりマスク装着時に前記第１延出部がマスク着用者の耳の付け根の上縁へと当該第１延出部の弛みを抑えた状態で延在し、前記第２延出部がマスク着用者の耳の付け根の下縁へと前記第２延出部の弛みを抑えた状態で延在することを特徴とするマスク。
【請求項２】
請求項１に記載のマスクであって、
前記マスク本体部は、前記端部領域にて前記襞の前記第２の方向に沿った展開動作が阻止され、且つ前記第１の方向上の両端部領域間の中間領域にて前記襞の前記展開動作が可能とされ、前記中間領域での前記襞の前記展開動作に伴って前記端部領域が湾曲した状態で当該マスクがマスク着用者に装着されるように構成されていることを特徴とするマスク。
【請求項３】
請求項１または２に記載のマスクであって、
前記接合部及び前記環状部は、単一のシート状不織布により一体的に構成されており、さらに前記接合部は、前記マスク本体部の前記端部領域に接合するための熱融着部を有することを特徴とするマスク。
【請求項４】
請求項３に記載のマスクであって、
前記接合部及び前記環状部は互いに環状に連接されており、前記耳掛け空間が、前記接合部と前記環状部との間に閉じた状態で形成されていることを特徴とするマスク。
【請求項５】
請求項１から４のうちのいずれかに記載のマスクであって、
前記マスク本体部に、その表面側から視認可能な表示要素が設けられていることを特徴とするマスク。
【請求項６】
請求項５に記載のマスクであって、
前記表示要素は、エンボス表示要素であることを特徴とするマスク。
【請求項７】
請求項５に記載のマスクであって、
前記表示要素は、印刷表示要素であることを特徴とするマスク。
【請求項８】
請求項１から７のうちのいずれかに記載のマスクであって、
前記耳掛け部は、当該マスクの平面視で前記マスク本体部の外形内に前記両端部領域に接合された両耳掛け部が収まるように構成されていることを特徴とするマスク。
【請求項９】
請求項８に記載のマスクであって、
前記両耳掛け部を、前記マスク本体部の外形内で互いに接続する接続部を有することを特徴とするマスク。
【請求項１０】
請求項９に記載のマスクであって、
当該マスクの平面視で前記マスク本体部の外形内に収まるように接合された単一シート状の耳掛けシートを備え、
前記耳掛けシートは、前記両耳掛け部が前記接続部で互いに接続された状態で同一平面上に延在するように構成されており、これにより当該マスクの平面視で前記マスク本体部の外形内に前記両耳掛け部が収まることを特徴とするマスク。
【請求項１１】
請求項１０に記載のマスクであって、
前記耳掛けシートは、一方の前記耳掛け部の前記環状部と、他方の前記耳掛け部の前記環状部とが互いに連接する構成であり、その連接部分に前記接続部が設けられていることを特徴とするマスク。
【請求項１２】
請求項９から１１のうちのいずれかに記載のマスクであって、
前記接続部は、各耳掛け部を手で引っ張ることによって当該接続部の接続が解除可能となるように構成されていることを特徴とするマスク。
【発明の詳細な説明】
【技術分野】
【０００１】
本発明は、マスク着用者の顔に装着されるマスクに関するものである。
【背景技術】
【０００２】
従来、例えば下記特許文献１には、マスク着用者の顔に装着されるマスクが開示されている。当該マスクは、概してマスク着用者の顔面を覆うマスク本体部と、マスク本体部の両端部領域のそれぞれに連接され、耳掛け空間を形成する耳掛け部を備え、マスク着用時に耳掛け部がマスク着用者の耳に引っ掛けられるように構成される。
この種のマスクでは、下記特許文献１のように耳掛け部を所定のシート幅を有する不織布シートで構成した場合には、当該耳掛け部をゴム紐で構成した場合に比べて、マスク着用時に耳掛け部の張力がマスク着用者の耳の一部に集中するのが抑えられるため、マスク着用者は耳の痛みを感じにくいという利点がある。その反面、耳掛け部は、所定のシート幅を有する構成上、マスク着用時に着用者の耳に向けて引っ張られたときの引張方向によっては当該耳掛け部に弛みが生じる場合がある。特に、耳掛け部のうちマスク本体部との連接部分においては、当該耳掛け部のシート幅方向の両縁部のいずれか一方に弛みが生じ易く、この耳掛け部の弛みがマスク着用者の頬部との間に隙間を形成させる要因となる。
【先行技術文献】
【特許文献】
【０００３】
【特許文献１】特開平９−１４９９４６号
【発明の開示】
【発明が解決しようとする課題】
【０００４】
そこで、本発明は、かかる点に鑑みてなされたものであり、マスク着用者の顔に装着されるマスクにおいて、マスク着用時に生じる耳掛け部の弛みを抑えるのに有効な技術を提供することを課題とする。
【課題を解決するための手段】
【０００５】
上記課題を達成するため、各請求項に記載の発明が構成される。
【０００６】
本発明にかかるマスクは、マスク本体部と、このマスク本体部に連接される耳掛け部と、を備える。マスク本体部は、所定の第１の方向及びその第１の方向と交差する第２の方向にそれぞれ延在する平面部と、平面部上を第１の方向に延在して形成される襞と、第１の方向上の端部領域と、を有する。
耳掛け部はシートにより構成されるとともに、接合部と、接合部と一体化された環状部を有する。
接合部は、第２の方向について端部領域のほぼ全体にわたり長尺状に延在するとともに端部領域に接合される。環状部は、接合部と共に耳掛け空間を構成する。また、この環状部は、接合部の第２の方向上の一方の縁部領域から延出する第１延出部と、接合部の第２の方向上の他方の縁部領域から延出して第１延出部に連接される第２延出部とを含む。
【０００７】
更に、当該マスクでは、耳掛け部のうちマスク本体部との連接部分に弛み抑制機構が設けられている。この弛み抑制機構は、マスク装着時に耳掛け部の第１延出部及び第２延出部をマスク着用者の耳の付け根の上縁及び下縁へと第１延出部及び第２延出部の弛みを抑えた状態で延在させる機能を果たす。典型的には、耳掛け部の第１延出部及び第２延出部に関し、当該延出部のマスク装着前の延出方向とマスク装着時の引張方向とが概ね合致する場合に、当該延出部の弛みが抑えられる。この場合、耳掛け部の第１延出部及び第２延出部の双方の弛みが抑えられる。なお、耳の付け根は、耳と頭との境界部分であって、耳掛け部が耳に引っ掛けられた場合に、実質的に当該耳掛け部によって押圧される部分として特定される。これにより、マスク着用者の耳に耳掛け部が掛けられたとき、この耳掛け部の弛みがマスク着用者の頬部との間に隙間を形成させる要因となるのを阻止することができる。
【０００８】
さらに弛み抑制機構は、マスク本体部の端部領域の延在線と、耳掛け部の第１延出部の延出線とがなす耳掛け空間側の角度が９０°を下回るとともに８０°を上回る角度に設定されるように、耳掛け部がマスク本体部に連接された連接構造を含む。これにより、マスク装着時に第１延出部がマスク着用者の耳の付け根の上縁へと当該延出部の弛みを抑えた状態で延在する。従って、耳掛け部の第１延出部とマスク着用者の頬部との間に隙間が生じるのを阻止できる。
【０００９】
さらに弛み抑制機構は、マスク本体部の端部領域の延在線と、耳掛け部の第２延出部の延出線とがなす耳掛け空間側の角度が９０°を下回るとともに７０°を上回る角度に設定されるように、耳掛け部がマスク本体部に連接された連接構造を含む。これによりマスク装着時に第２延出部がマスク着用者の耳の付け根の下縁へと当該延出部の弛みを抑えた状態で延在する。従って、耳掛け部の第２延出部とマスク着用者の頬部との間に隙間が生じるのを阻止できる。
【００１０】
また本発明に係る更なる形態のマスクでは、マスク本体部は、端部領域にて襞の第２の方向に沿った展開動作が阻止され、且つ第１の方向上の両端部領域間の中間領域にて襞の展開動作が可能とされ、中間領域での襞の前記動作に伴って端部領域が湾曲した状態で当該マスクがマスク着用者に装着されるように構成されているのが好ましい。これにより、特にマスク本体部の襞を展開させた状態のマスク装着時に、耳掛け部の弛みを抑えることによって、耳掛け部とマスク着用者の頬部との間の隙間の形成を阻止できる。
【００１１】
また本発明に係る更なる形態のマスクでは、接合部及び環状部は、単一のシート状不織布により一体的に構成されており、さらに接合部は、マスク本体部の端部領域に接合するための熱融着部を有することが好ましい。これにより耳掛け部の構造、及び接合部と端部領域との接合構造を簡素化することができる。
【００１２】
また本発明に係る更なる形態のマスクでは、接合部及び環状部は互いに環状に連接されており、耳掛け空間が、接合部と環状部との間に閉じた状態で形成されているのが好ましい。これにより、耳掛け空間を有する耳掛け部を、簡単な形状の打ち抜き部材による打ち抜き加工によって製造することが可能となる。
【００１３】
また本発明に係る更なる形態のマスクでは、マスク本体部に、その表面側から視認可能な表示要素を設けることができる。
【００１４】
また本発明に係る更なる形態のマスクでは、表示要素は、エンボス表示要素とすることができる。
【００１５】
また本発明に係る更なる形態のマスクでは、表示要素は、印刷表示要素とすることができる。
【００１６】
また本発明に係る更なる形態のマスクでは、耳掛け部は、当該マスクの平面視でマスク本体部の外形内に両端部領域に接合された両耳掛け部が収まるように構成することができる。
【００１７】
また本発明に係る更なる形態のマスクでは、両耳掛け部を、マスク本体部の外形内で互いに接続する接続部を有することができる。
【００１８】
また本発明に係る更なる形態のマスクでは、当該マスクの平面視でマスク本体部の外形内に収まるように接合された単一シート状の耳掛けシートを備えることができる。この場合、耳掛けシートは、両耳掛け部が接続部で互いに接続された状態で同一平面上に延在するように構成されており、これにより当該マスクの平面視でマスク本体部の外形内に両耳掛け部を収めることができる。
【００１９】
また本発明に係る更なる形態のマスクでは、耳掛けシートは、一方の耳掛け部の環状部と、他方の耳掛け部の環状部とが互いに連接する構成であり、その連接部分に接続部を設けることができる。
【００２０】
また本発明に係る更なる形態のマスクでは、接続部は、各耳掛け部を手で引っ張ることによって当該接続部の接続が解除可能となるように構成することができる。
【発明の効果】
【００２１】
以上のように、本発明によれば、マスク着用者の顔に装着されるマスクにおいて、マスク着用時に生じる耳掛け部の弛みを抑えることが可能となった。
【図面の簡単な説明】
【００２２】
【図１】本発明にかかるマスク１０を外面側から視た場合の平面図である。
【図２】図１中のマスク１０を内面側から視た場合の平面図である。
【図３】図１中のマスク１０のＡ−Ａ線についての断面構造を示す図である。
【図４】図３中の断面構造の変更例を示す図である。
【図５】図３中の断面構造の変更例を示す図である。
【図６】図３中のＢ領域の部分拡大図である。
【図７】図１中のマスク１０の展開状態を外面側から視た図である。
【図８】耳掛け部３０の角度設定を示す平面図である。
【図９】マスク着用時のマスク１０を側方から視た図である。
【図１０】図８に示す耳掛け部３０の別実施の形態の連接構造を示す平面図である。
【図１１】図８に示す耳掛け部３０の別実施の形態の連接構造を示す平面図である。
【図１２】他の実施の形態における図９と同様の側面図である。
【発明を実施するための形態】
【００２３】
以下、本発明に係る「マスク」の実施形態について、図面を参照しつつ詳細に説明する。ここでいう「マスク」は、マスク着用者の顔に装着されることによって、少なくとも口元ないし当該口元周辺の口元空間を覆うように構成される。
【００２４】
図１には、本実施の形態のマスク１０を外面側から視た様子が、また図２にはこのマスク１０を内面側から視た様子が示されている。ここで、マスク１０の内面は、マスク装着時にマスク着用者の顔と対向する面として規定され、その反対側の面がマスク１０の外面として規定される。これら図１及び図２によれば、マスク１０は、特にマスク着用者の口（口元）及び鼻（鼻腔）を主体に被覆するマスク本体部２０と、マスク本体部２０に連接されマスク着用者の耳への引っ掛けに用いる一対の耳掛け部３０，３０を含む構成とされる。このマスク１０は、１回ないし数回の使用を想定した使い捨てマスクとして使用されるのが好ましく、その用途として典型的には、風邪などのウィルス対策、花粉対策等が挙げられる。ここでいうマスク本体部２０及び一対の耳掛け部３０，３０がそれぞれ、本発明における「マスク本体部」及び「耳掛け部」に相当する。
【００２５】
マスク本体部２０は、図１に示すように、第１の方向１１（横方向）及びその第１の方向１１と交差する第２の方向１２（縦方向）にそれぞれ延在する平坦状の平面部２０ａを有する。ここでいう平面部２０ａが、本発明における「平面部」に相当する。また、ここでいう第１の方向１１及び第２の方向１２がそれぞれ、本発明における「第１の方向」及び「第２の方向」に相当する。マスク本体部２０が横幅Ｌ１で縦幅Ｌ２（＜Ｌ１）の長方形とされている場合には、第１の方向１１はマスク本体部２０の横幅方向としても規定され、また第２の方向１２はマスク本体部２０の縦幅方向としても規定される。このマスク本体部２０の第１の方向１１上の２つの端部領域２１，２１にはそれぞれ、接合点２２が第２の方向１２に沿って直線状に延在している。ここでいう端部領域２１，２１が、本発明における「端部領域」に相当する。この接合点２２は、マスク本体部２０と各耳掛け部３０とを互いに融着（「溶着」ともいう）する接合部分として構成される。この場合の融着として、熱によるものや超音波によるものを適宜用いることができる。また、マスク本体部２０の第２の方向１２上の一方の端部領域２３には、それぞれ第１の方向１１に沿って直線状に延在する２つの接合点２４，２４が略平行に配置されている。これら接合点２４，２４によってマスク本体部２０の内部に収容空間２５が形成され、この収容空間２５には、マスク着用者の鼻上部の形状に適合するように変形可能なノーズフィット部材２６が収容されている。なお、上記の接合点２２，２４における各融着に代えて、或いは加えて、接着剤による接合を用いることもできる。
【００２６】
マスク本体部２０は、平面部２０ａ上を第１の方向１１に延在して形成される複数の襞（プリーツ）２７を備えている。これらの襞２７は、端部領域２１においては襞付けされた状態で接合点２２によって接合されており、従って端部領域２１での第２の方向１２に沿った展開動作が阻止され、且つ第１の方向１１上の両端部領域２１，２１間の中間領域２８にて当該展開動作が可能となるように構成されている。ここでいう襞２７及び中間領域２８がそれぞれ、本発明における「襞」及び「中間領域」に相当する。
【００２７】
図２に示すように、一対の耳掛け部３０，３０は、マスク本体部２０の内面側に接合された耳掛けシート３０ａによって形成されている。この耳掛けシート３０ａは、単一のシート状不織布からなる。即ち、この耳掛けシート３０ａでは、２つの耳掛け部３０，３０が互いに連接しつつ同一平面上に延在している。また、マスク１０は、当該マスク１０の平面視でマスク本体部２０の外形内に耳掛けシート３０ａが収まるように構成されている。これにより、マスク本体部２０と各耳掛け部３０との重なり部分をそのまま接合することによって、マスクを製造することができ、特にマスクを連続的に製造する際の取り扱いが容易になる。また、単一シート状の耳掛けシート３０ａによって両耳掛け部３０，３０が構成されるため、マスク製造時の部品点数を抑えることができる。この場合、マスク本体部２０の第１の方向１１又は第２の方向１２の長さが、耳掛けシート３０ａ（耳掛け部３０）の第１の方向１１又は第２の方向１２の長さと概ね合致する構成であってもよいし、或いはマスク本体部２０の第１の方向１１又は第２の方向１２の長さが、耳掛けシート３０ａ（耳掛け部３０）の第１の方向１１又は第２の方向１２の長さを上回る構成であってもよい。これにより、マスク１０の平面視でマスク本体部２０の外形内に一対の耳掛け部３０，３０が収まることとなる。一方では、耳掛けシート３０ａは、マスク１０の平面視でその一部がマスク本体部２０の外形からはみ出すように配置構成されてもよい。
【００２８】
耳掛けシート３０ａの各耳掛け部３０は、単一のシート状不織布で互いに一体状に形成された接合部３１及び環状部３２によって構成されている。これら接合部３１及び環状部３２はそれぞれ、所定のシート幅を有する。必要に応じては、別々に製造された接合部３１及び環状部３２が互いに接合されていてもよい。また、接合部３１は、マスク本体部２０の端部領域２１に接合点２２を介して融着によって接合されている。即ち、マスク本体部２０の一方の端部領域２１に一方の耳掛け部３０の接合部３１が接合され、またマスク本体部２０の他方の端部領域２１に他方の耳掛け部３０の接合部３１が接合されている。これにより、耳掛け部３０の構造、及び接合部３１と端部領域２１との接合構造を簡素化できる。特に、接合部３１は、第２の方向１２について端部領域２１のほぼ全体にわたり延在しつつ、接合点２２を介して端部領域２１に融着された部位として構成される。この場合、マスク本体部２０の端部領域２１の第２の方向１２についての２つの角部（図２中の上下の角部）はそれぞれ、耳掛け部３０の接合部３１の第２の方向１２についての２つの角部（図２中の上下の角部）に合致するのが好ましい。
【００２９】
各耳掛け部３０の接合部３１及び環状部３２は互いに環状に連接されており、これにより当該耳掛け部３０の開口部分である耳掛け空間３３を形成している。即ち、各耳掛け部３０は、その全体的な形状が接合部３１及び環状部３２によってＤ字状ないしＯ字状となるように構成されている。耳掛け空間３３は、接合部３１と環状部３２との間に閉じた状態で形成され、環状部３２がマスク着用者の耳に引っ掛けられた場合に当該耳を収容する機能を果たす。本実施の形態では、耳掛け部３０の接合部３１及び環状部３２がそれぞれ所定のシート幅を有する構成であるため、耳掛け部をゴム紐で構成した場合に比べて、マスク着用時に耳掛け部の張力がマスク着用者の耳の一部に集中するのが抑えられるため、マスク着用者は耳の痛みを感じにくいという利点がある。各接合部３１は、第２の方向１２について２つの縁部領域３１ａ，３１ｂを備えている。各環状部３２は、接合部３１の第２の方向１２上の一方の縁部領域３１ａから延出する第１延出部３２ａと、接合部３１の第２の方向１２上の他方の縁部領域３１ｂから延出して第１延出部３２ａに連接される第２延出部３２ｂと、を備えている。ここでいう接合部３１、環状部３２、第１延出部３２ａ、第２延出部３２ｂ及び耳掛け空間３３、がそれぞれ、本発明における「接合部」、「環状部」、「第１延出部」、「第２延出部」及び「耳掛け空間」に相当する。上記構成によれば、耳掛け空間３３を有する耳掛け部３０を、耳掛け空間３３に対応した簡単な形状の打ち抜き部材による打ち抜き加工によって製造することができる。その変更例として、耳掛け部３０が切り込み加工された開口部分によって耳掛け空間３３を形成することもできる。
【００３０】
また、耳掛けシート３０ａは、一方の耳掛け部３０の環状部３２と、他方の耳掛け部３０の環状部３２との連接部分に接続部３４が設けられている。これにより、単一シート状の耳掛けシート３０ａにおいて両耳掛け部３０，３０が環状部３２にて互いに連接した構成が実現される。この接続部３４は、一方の耳掛け部３０と他方の耳掛け部３０を、マスク本体部２０の外形内で互いに接続する接続部分として構成されている。これにより、両耳掛け部３０，３０が予め接続部３４で接続されて一体化された状態での取り扱いが可能となる。また、両耳掛け部３０，３０を互いに接続する接続部３４を設けることで、マスク１０が未使用状態であることが容易に認識される。
【００３１】
この接続部３４は、各耳掛け部３０を手で引っ張ることによって当該接続部３４の接続が解除可能となるように、即ち規定の引っ張り荷重を下回る接続強度を有するように構成されている。このため、典型的には、一方の環状部３２と他方の環状部３２とをミシン目や接着剤を介して互いに接続する形態などを用いることによって接続部３４を構成するのが好ましい。これにより、マスク着用者は、一対の耳掛け部３０，３０の接続部３４での接続を容易に解除してマスクの使用に備えることができる。この接続部３４は、１点又は複数点からなる接続部分であってもよいし、第２の方向１２に沿って延在する線状の接続部分であってもよい。また、この接続部３４は、ハサミやカッター等での切断処理を要する程度の接続強度を有する接続部分あってもよい。また、両耳掛け部３０，３０は、単一の耳掛けシート３０ａによって一体状に構成される形態に代えて、それぞれ別体に構成される形態であってもよい。別体の場合は、両耳掛け部３０，３０が接続部で互いに接続された状態で同一平面上に延在する構成であってもよいし、或いは接続部において互いに重なり合う構成であってもよい。
【００３２】
上記構成のマスク本体部２０の断面構造については、図３及び図４が参照される。これらの図面に示す第３の方向１３は、第１の方向１１及び第２の方向１２の双方に交差する方向として構成される。この第３の方向１３は、マスク本体部２０又は耳掛けシート３０ａ（耳掛け部３０）のシート厚み方向として、或いはマスク本体部３０と耳掛けシート３０ａ（耳掛け部３０）との重ね合わせ方向としても規定される。図３によれば、複数の襞２７は、マスク本体部２０の外面側は折り山（「折り目」ないし「襞山」ともいう）が上下に外側に折られ、マスク本体部２０の内面側の折り山が突合せ状に形成された襞付けの形態（「箱折り」ともう）として構成される。なお、図３に示すこの襞付けの形態は、必要に応じて適宜に選択が可能であり、例えば図４に示すような、マスク本体部２０の外面側に折り山を繰り返し作る襞付けの形態や、図５に示すような、マスク本体部２０の内面側に折り山を繰り返し作る襞付けの形態を採用することもできる。
【００３３】
図６に示すように、図３中のマスク本体部２０は、更にいずれもシート状不織布からなる外側シート２０ｂ、及び中間シート２０ｃ及び内側シート２０ｄを含み、これらシートが第３の方向１３について順次重ねられた３層構造になっている。
【００３４】
外側シート２０ｂは、マスク本体部２０の外面、即ちマスク着用状態で外側に露出する面を有する。内側シート２０ｄは、マスク本体部２０の内面、即ちマスク着用状態でマスク着用者に対向する面を有する。これら外側シート２０ｂ及び内側シート２０ｄはいずれも、既知のスパンボンド（ＳＢ）不織布、ポイントボンド（ＰＢ）不織布、スパンレース（ＳＬ）不織布、エアスルー（ＡＴ）不織布などによって構成され、その目付が例えば１０〜１００ｇ／ｍ２の範囲で適宜設定されるのが好ましい。これによりマスク本体部２０の所望の通気性が確保される。ただし、内側シート２０ｄと外側シート２０ｂとを構成する不織布において、内側シート２０ｄには外側シート２０ｂよりも肌触りのよい繊維不織布シート、例えば、外側シート２０ｂと同じ種類の繊維不織布シートを使用する場合であっても、比較的に細い繊維を用いた柔軟性のあるものなどを用いることが好ましい。
【００３５】
中間シート２０ｃは、塵埃、細菌、ウィルスなどについて所定の捕集性を有するフィルターシートとして構成される。この中間シート２０ｃは、既知のメルトブローン（ＭＢ）不織布などによって構成され、その目付が例えば１〜５０ｇ／ｍ２の範囲で適宜設定されるのが好ましい。これによりマスク本体部２０の所望の通気性が確保され、且つ所望の捕集性が確保される。なお、この中間シート２０ｃを、ホットメルト接着剤（ＨＭＡ）を用いて外側シート２０ｂと一体化された構成を採用することもできる。
【００３６】
一方、耳掛け部３０の材質として、既知の伸縮スパンボンド（ＳＢ）不織布、伸縮スパンボンド・メルトブローン・スパンボンド（ＳＭＳ）不織布、伸縮スパンボンド・フイルム・スパンボンド不織布、伸張性スパンレース不織布、伸縮ホットメルト接着剤（ＨＭＡ）不織布などを用いることができ、また当該不織布の目付が例えば２０〜１２０ｇ／ｍ２の範囲で適宜設定されるのが好ましい。これにより耳掛け部３０の所望の伸縮性が確保される。
【００３７】
図７には、マスク本体部２０の複数の襞２７が第２の方向１２に沿って展開された様子が示されている。図７に示すように、マスク使用時においてマスク本体部２０は、各端部領域２１では複数の襞２７の第２の方向１２に沿った展開動作が阻止される一方で、中間領域２８では、複数の襞２７の第２の方向１２に沿った展開動作（「マスク本体部２０の展開動作」ともいう）が可能とされている。このとき、各端部領域２１は、第２の方向１２の沿った長さが拡張されることなく湾曲形状をなす一方で、中間領域２８は、第２の方向１２の沿った長さＬ３を拡張しつつ湾曲形状をなす。これにより、マスク本体部２０は、マスク着用者側が凹んだ立体形状をなし、マスク本体部２０の内面とマスク着用者との間に所定の口元空間２９が形成される。一方で、耳掛け部３０の環状部３２がマスク着用者の耳に引っ掛けられて当該マスク着用者の顔面がマスク本体部２０によって被覆される際、マスク本体部２０の端部領域２１が湾曲形状をなすため、当該端部領域２１とマスク着用者の顔面との間に隙間が生じ易い。
【００３８】
そこで本実施の形態のマスク１０は、この隙間を抑えるべく、耳掛け部３０の接合部３１が、第２の方向１２について端部領域２１のほぼ全体にわたり長尺状に延在するように構成されるのが好ましい。これにより、マスク着用時に環状部３２に生じる張力が接合部３１に作用することで、接合部３１がマスク着用者の頬部の形状に追従して当該頬部との密着性を高めることができ、特に端部領域２１とマスク着用者の顔面との間の境界部（図７中の境界部４１）に隙間が生じるのを抑えることができる。また、このとき、耳掛け部３０の接合部３１の上側の角部が、マスク本体部２０の端部領域２１の上側の角部に連接し、また耳掛け部３０の接合部３１の下側の角部が、マスク本体部２０の端部領域２１の下側の角部に連接される。これにより、図７に示すように、境界部４１の両側の境界部４２，４３において、端部領域２１とマスク着用者の顔面との間に隙間が生じるのを接合部３１の上下の角部によって抑えることができる。かくして、マスク本体部２０の端部領域２１とマスク着用者の顔面との間に隙間が生じるのを、耳掛け部３０の接合部３１により第２の方向１２について境界部４１〜４３の広範囲にわたって抑えることができる。
【００３９】
ところで、各耳掛け部３０は、所定のシート幅を有する構成上、マスク着用時に着用者の耳に向けて引っ張られたときの引張方向によっては当該耳掛け部３０に弛みが生じる場合がある。この引張方向は、例えばマスク着用時にマスク本体部２０が襞２７の展開とともに平面形状から立体形状になる際の動作に伴って変化し、また着用者の耳の位置や顔の大きさ等に応じて変化する。特に、耳掛け部３０のうちマスク本体部２０との連接部分においては、当該耳掛け部３０のシート幅方向の両側面のいずれか一方に弛みが生じ易く、この耳掛け部３０の弛みがマスク着用者の頬部との間に隙間を形成させる要因となる。
【００４０】
そこで本実施の形態のマスク１０は、耳掛け部３０の弛みの発生を抑えるべく、耳掛け部３０のうちマスク本体部２０との連接部分に弛み抑制機構を備えている。この弛み抑制機構は、図８が参照されるように、マスク装着時に耳掛け部３０（環状部３２）の第１延出部３２ａ及び第２延出部３２ｂの少なくとも一方を、マスク着用者の耳の付け根の上縁（図９中の「上縁５１」）又は下縁（図９中の「下縁５２」）へと当該延出部の弛みを抑えた状態で延在させる機能を果たす。この弛み抑制機構は、典型的には、耳掛け部３０の第１延出部３２ａ及び第２延出部３２ｂに関し、当該延出部のマスク装着前の延出方向とマスク装着時の引張方向とが概ね合致するように構成された下記の第１の連接構造及び第２の連接構造のうちの少なくとも一方を含む。即ち、この弛み抑制機構は、第１の連接構造及び第２の連接構造のいずれか一方を含む形態であってもよいし、或いは第１の連接構造及び第２の連接構造の双方を含む形態であってもよい。なお、耳の付け根は、耳と頭との境界部分であって、耳掛け部３０が耳に引っ掛けられた場合に、実質的に当該耳掛け部３０によって押圧される部分として特定される。
【００４１】
＜第１の連接構造＞
第１の連接構造は、図８に示すように、マスク本体部１０の端部領域２１の延在線Ｓ１と、耳掛け部３０の第１延出部３２ａの延出線Ｓ２とがなす耳掛け空間３３側の角度αが所定の設定角度に設定されるように耳掛け部３０がマスク本体部２０に連接された連接部として構成されている。この第１の連接構造では、端部領域２１の延在線Ｓ１は、第２の方向１２上の直線として構成され、第１延出部３２ａの延出線Ｓ２は、当該第１延出部３２ａの幅方向（第２の方向１２）についての中心線として構成されるのが好ましい。後述の測定結果に基づいた場合、前述の角度αの設定角度は、８０°から１４０°までの間の適正範囲に属するのが好ましい。これにより、マスク装着時において、第１延出部３２ａをマスク着用者の耳の付け根の上縁へと当該延出部の弛みを抑えた状態で延在させることができる。ここでいう第１の連接構造は、本発明における「弛み抑制機構」及び「連接構造」を構成している。
【００４２】
＜第２の連接構造＞
第２の連接構造は、図８に示すように、マスク本体部１０の端部領域２１の延在線Ｓ１と、耳掛け部３０の第２延出部３２ｂの延出線Ｓ３とがなす耳掛け空間３３側の角度βが所定の設定角度に設定されるように耳掛け部３０がマスク本体部２０に連接された連接部として構成されている。この第２の連接構造では、端部領域２１の延在線Ｓ１は、第２の方向１２上の直線として構成され、第２延出部３２ｂの延出線Ｓ３は、当該第２延出部３２ｂの幅方向（第２の方向１２）についての中心線として構成されるのが好ましい。後述の測定結果に基づいた場合、前述の角度βの設定角度は、７０°から１３０°までの間の適正範囲に属するのが好ましい。これにより、マスク装着時において、第２延出部３２ｂをマスク着用者の耳の付け根の下縁へと当該延出部の弛みを抑えた状態で延在させることができる。ここでいう第２の連接構造は、本発明における「弛み抑制機構」及び「連接構造」を構成している。
【００４３】
本発明者らは、角度α及びβの設定角度に関する前述のような適正範囲を導出するための測定を実施した。以下、図９を参照しつつ、この測定に係る実施例１〜４について説明する。
【００４４】
＜実施例１＞
（実施例１の測定条件）
上記構成のマスク１０の具体的な構造として、Ｌ１＝１７５［ｍｍ］、Ｌ２＝９０［ｍｍ］、Ｌ３＝１５４［ｍｍ］、Ｒ＝３８［ｍｍ］、Ｌ１／（Ｒ・Ｌ２）＝０．０５１２の寸法設定を前提条件とし、角度αを５０°〜１６０°（１０°刻みの１２パターン）の範囲内で変化させ、また角度βを４０°〜１５０°（１０°刻みの１２パターン）の範囲内で変化させた複数のマスクサンプルを作成した。この場合、角度αの範囲の中央値α１が１０５［ｍｍ］であり、角度βの範囲の中央値β１が９５［ｍｍ］であった。そして、各マスクサンプルを実際の人間の顔に装着した場合に、或いはマスク着用者を模した人形（ドール）に装着した場合に、耳掛け部３０の弛みに起因する隙間を実際に確認する測定を行った。
【００４５】
（実施例１の測定結果）
角度αが予め５０°に設定されたマスクサンプルを装着した場合、図９に示すように、各耳掛け部３０の第１延出部３２ａの幅方向上の両縁部３５，３６のうち、特に耳掛け空間３３側とは反対側の縁部３５（「上縁部」ともいう）に弛みが生じ、これにより頬上部領域４５に判定基準を上回る隙間が認められた。また、角度αが予め１６０°に設定されたマスクサンプルを装着した場合、第１延出部３２ａの両縁部３５，３６のうち、特に耳掛け空間３３側の縁部３６（「下縁部」ともいう）に弛みが生じ、これにより頬領域４４に判定基準を上回る隙間が認められた。一方で、角度αが予め６０°から１５０°までの範囲に設定されたその他のマスクサンプルを装着した場合、頬領域４４及び頬上部領域４５のいずれにおいても、各耳掛け部３０とマスク着用者の顔面との間の隙間は認められなかった。
【００４６】
同様に、角度βが予め４０°に設定されたマスクサンプルを装着した場合、各耳掛け部３０の第２延出部３２ｂの幅方向上の両縁部３７，３８のうち、特に耳掛け空間３３側とは反対側の縁部３８（「下縁部」ともいう）に弛みが生じ、これにより頬下部領域４６に判定基準を上回る隙間が認められた。また、角度βが予め１５０°に設定されたマスクサンプルを装着した場合、第２延出部３２ｂの両縁部３７，３８のうち、特に耳掛け空間３３側の縁部３７（「上縁部」ともいう）に弛みが生じ、これにより頬領域４４に判定基準を上回る隙間が認められた。一方で、角度βが予め５０°から１４０°までの範囲に設定されたその他のマスクサンプルを装着した場合、頬領域４４及び頬下部領域４６のいずれにおいても、各耳掛け部３０とマスク着用者の顔面との間の隙間は認められなかった。
【００４７】
＜実施例２＞
（実施例２の測定条件）
上記構成のマスク１０の具体的な構造として、Ｌ１＝１７５［ｍｍ］、Ｌ２＝８０［ｍｍ］、Ｌ３＝１４４［ｍｍ］、Ｒ＝３８［ｍｍ］、Ｌ１／（Ｒ・Ｌ２）＝０．０５７６の寸法設定を前提条件とし、角度αを５０°〜１７０°（１０°刻みの１３パターン）の範囲内で変化させ、また角度βを６０°〜１７０°（１０°刻みの１２パターン）の範囲内で変化させた複数のマスクサンプルを作成した。この場合、角度αの上記範囲の中央値α１が１１５［ｍｍ］であり、角度βの上記範囲の中央値β１が１１５［ｍｍ］であった。そして、各マスクサンプルについての隙間測定を実施例１と同様に実施した。
【００４８】
（実施例２の測定結果）
角度αが予め５０°及び６０°に設定されたマスクサンプルを装着した場合、図９に示すように、第１延出部３２ａの両縁部３５，３６のうち、特に耳掛け空間３３側とは反対側の縁部３５に弛みが生じ、これにより頬上部領域４５に判定基準を上回る隙間が認められた。また、角度αが予め１７０°に設定されたマスクサンプルを装着した場合、第１延出部３２ａの両縁部３５，３６のうち、特に耳掛け空間３３側の縁部３６に弛みが生じ、これにより頬領域４４に判定基準を上回る隙間が認められた。一方で、角度αが予め７０°から１６０°までの範囲に設定されたその他のマスクサンプルを装着した場合、頬領域４４及び頬上部領域４５のいずれにおいても、各耳掛け部３０とマスク着用者の顔面との間の隙間は認められなかった。
【００４９】
同様に、角度βが予め６０°に設定されたマスクサンプルを装着した場合、第２延出部３２ｂの両縁部３７，３８のうち、特に耳掛け空間３３側とは反対側の縁部３８に弛みが生じ、これにより頬下部領域４６に判定基準を上回る隙間が認められた。また、角度βが予め１７０°に設定されたマスクサンプルを装着した場合、第２延出部３２ｂの両縁部３７，３８のうち、特に耳掛け空間３３側の縁部３７に弛みが生じ、これにより頬領域４４に判定基準を上回る隙間が認められた。一方で、角度βが予め７０°から１６０°までの範囲に設定されたその他のマスクサンプルを装着した場合、頬領域４４及び頬下部領域４６のいずれにおいても、各耳掛け部３０とマスク着用者の顔面との間の隙間は認められなかった。
【００５０】
＜実施例３＞
（実施例３の測定条件）
上記構成のマスク１０の具体的な構造として、Ｌ１＝１７５［ｍｍ］、Ｌ２＝１００［ｍｍ］、Ｌ３＝１６４［ｍｍ］、Ｒ＝４１［ｍｍ］、Ｌ１／（Ｒ・Ｌ２）＝０．０４２７の寸法設定を前提条件とし、角度αを３０°〜１５０°（１０°刻みの１３パターン）の範囲内で変化させ、また角度βを３０°〜１５０°（１０°刻みの１３パターン）の範囲内で変化させた複数のマスクサンプルを作成した。この場合、角度αの上記範囲の中央値α１が９０［ｍｍ］であり、角度βの上記範囲の中央値β１が８５［ｍｍ］であった。そして、各マスクサンプルについての隙間測定を実施例１と同様に実施した。
【００５１】
（実施例３の測定結果）
角度αが予め３０°に設定されたマスクサンプルを装着した場合、図９に示すように、第１延出部３２ａの両縁部３５，３６のうち、特に耳掛け空間３３側とは反対側の縁部３５に弛みが生じ、これにより頬上部領域４５に判定基準を上回る隙間が認められた。また、角度αが予め１５０°に設定されたマスクサンプルを装着した場合、第１延出部３２ａの両縁部３５，３６のうち、特に耳掛け空間３３側の縁部３６に弛みが生じ、これにより頬領域４４に判定基準を上回る隙間が認められた。一方で、角度αが予め４０°から１４０°までの範囲に設定されたその他のマスクサンプルを装着した場合、頬領域４４及び頬上部領域４５のいずれにおいても、各耳掛け部３０とマスク着用者の顔面との間の隙間は認められなかった。
【００５２】
同様に、角度βが予め３０°に設定されたマスクサンプルを装着した場合、第２延出部３２ｂの両縁部３７，３８のうち、特に耳掛け空間３３側とは反対側の縁部３８に弛みが生じ、これにより頬下部領域４６に判定基準を上回る隙間が認められた。また、角度βが予め１４０°及び１５０°に設定されたマスクサンプルを装着した場合、第２延出部３２ｂの両縁部３７，３８のうち、特に耳掛け空間３３側の縁部３７に弛みが生じ、これにより頬領域４４に判定基準を上回る隙間が認められた。一方で、角度βが予め４０°から１３０°までの範囲に設定されたその他のマスクサンプルを装着した場合、頬領域４４及び頬下部領域４６のいずれにおいても、各耳掛け部３０とマスク着用者の顔面との間の隙間は認められなかった。
【００５３】
＜実施例４＞
（実施例４の測定条件）
上記構成のマスク１０の具体的な構造として、Ｌ１＝１７５［ｍｍ］、Ｌ２＝９０［ｍｍ］、Ｌ３＝１７０［ｍｍ］、Ｒ＝３２［ｍｍ］、Ｌ１／（Ｒ・Ｌ２）＝０．０６０８の寸法設定を前提条件とし、角度αを６０°〜１７０°（１０°刻みの１２パターン）の範囲内で変化させ、また角度βを６０°〜１７０°（１０°刻みの１２パターン）の範囲内で変化させた複数のマスクサンプルを作成した。この場合、角度αの上記範囲の中央値α１が１２０［ｍｍ］であり、角度βの上記範囲の中央値β１が１１５［ｍｍ］であった。そして、各マスクサンプルについての隙間測定を実施例１と同様に実施した。
【００５４】
（実施例４の測定結果）
角度αが予め６０°及び７０°に設定されたマスクサンプルを装着した場合、図９に示すように、第１延出部３２ａの両縁部３５，３６のうち、特に耳掛け空間３３側とは反対側の縁部３５に弛みが生じ、これにより頬上部領域４５に判定基準を上回る隙間が認められた。また、角度αが予め１７０°に設定されたマスクサンプルを装着した場合、第１延出部３２ａの両縁部３５，３６のうち、特に耳掛け空間３３側の縁部３６に弛みが生じ、これにより頬領域４４に判定基準を上回る隙間が認められた。一方で、角度αが予め８０°から１６０°までの範囲に設定されたその他のマスクサンプルを装着した場合、頬領域４４及び頬上部領域４５のいずれにおいても、各耳掛け部３０とマスク着用者の顔面との間の隙間は認められなかった。
【００５５】
同様に、角度βが予め６０°に設定されたマスクサンプルを装着した場合、第２延出部３２ｂの両縁部３７，３８のうち、特に耳掛け空間３３側とは反対側の縁部３８に弛みが生じ、これにより頬下部領域４６に判定基準を上回る隙間が認められた。また、角度βが予め１７０°及び１５０°に設定されたマスクサンプルを装着した場合、第２延出部３２ｂの両縁部３７，３８のうち、特に耳掛け空間３３側の縁部３７に弛みが生じ、これにより頬領域４４に判定基準を上回る隙間が認められた。一方で、角度βが予め７０°から１６０°までの範囲に設定されたその他のマスクサンプルを装着した場合、頬領域４４及び頬下部領域４６のいずれにおいても、各耳掛け部３０とマスク着用者の顔面との間の隙間は認められなかった。
【００５６】
上記の測定結果に基づいた場合、角度αの設定角度の適正範囲を好ましくは８０°から１４０°までとし、また角度βの設定角度の適正範囲を好ましくは７０°から１３０°までとすることによって、マスク着用者の頬部と各耳掛け部３０との間の隙間防止に有効であることが確認された。即ち、実施例１〜４のような寸法設定が異なる形態のマスクであっても、各耳掛け部３０（環状部３２）の第１延出部３２ａ及び第２延出部３２ｂをそれぞれ、マスク着用者の耳５０の付け根の上縁５１及び下縁５２へと当該延出部の弛みを抑えた状態で延在させることができ、角度α，βについての当該範囲は、マスク着用者の頬部と各耳掛け部３０との間の隙間防止に有効である。ここでいう耳５０の付け根の上縁５１及び下縁５２がそれぞれ、本発明における耳の付け根の「上縁」及び「下縁」に相当する。
【００５７】
なお、実施例１〜４に基づいた場合、マスク着用者の頬部と各耳掛け部３０との間の隙間防止に有効な形態では、前述の角度α１及びβ１はそれぞれ、Ｌ１／（Ｒ・Ｌ２）に比例する近似式で示される。具体的には、α１＝１６５７・{Ｌ１／（Ｒ・Ｌ２）}＋２０の近似式、及びβ１＝１８２５・{Ｌ１／（Ｒ・Ｌ２）}＋６の近似式を用いることができる。
【００５８】
また、前述の連接構造の一例が図１０及び図１１に示されている。図１０には、第１の連接構造における角度αが９０°を上回る角度に設定され、且つ第２の連接構造における角度βが９０°を上回る角度に設定された耳掛け部３０が示されている。図１０の変更例として、角度α及び角度βのいずれか一方を９０°以下の角度に設定した耳掛け部３０を採用することもできる。また、図１１には、第１の連接構造における角度αが９０°を下回る角度に設定され、且つ第２の連接構造における角度βが９０°を下回る角度に設定された耳掛け部３０が示されている。図１１の変更例として、角度α及び角度βのいずれか一方を９０°以上の角度に設定した耳掛け部３０を採用することもできる。
【００５９】
ここで、マスク使用時にマスク本体部２０が襞２７を介して展開し、これに伴ってマスク本体部２０の端部領域２１が湾曲したとき、耳掛け部３０の第１延出部３２ａと第２延出部３２ａとの間の最短距離が湾曲前よりも小さくなって耳掛け空間３３のマスク上下方向の大きさが狭くなるため、マスク着用者の耳に耳掛け部３０を引っ掛けにくくなるという問題が生じる。
【００６０】
そこで、本実施の形態では、マスク本体部２０と各耳掛け部３０との間に、間隔設定機構が設けられている。この間隔設定機構は、マスク本体部２０の端部領域２１の湾曲時に第１延出部３２ａ及び第２延出部３２ｂを、予め設定された所定間隔を隔てて互いに平行状に延在させるための機能を果たす。具体的には、この間隔設定機構は、図１０に示す例のように、マスク本体部２０の端部領域２１の湾曲前の角度αが９０°を上回るように構成された第１の連接構造と、マスク本体部２０の端部領域２１の湾曲前の角度βが９０°を上回るように構成された第２の連接構造を含む。
【００６１】
より好ましくは、第１の連接構造にかかる角度αが９０°よりも大きく１４０°以下の設定角度となり、第２の連接構造にかかる角度βが９０°よりも大きく１３０°以下の設定角度となるように、間隔設定機構を構成することができる。即ち、これらの連接構造によって、マスク本体部２０の端部領域２１の湾曲前では、各耳掛け部３０の第１延出部３２ａと第２延出部３２ｂとの間隔が、マスク本体部２０の端部領域２１から離間するにつれて直線状に拡張されたテーパー形状が形成される。これにより、各耳掛け部３０の第１延出部３２ａ及び第２延出部３２ｂの延出角度をそれぞれ適正に設定することで、マスク使用時にマスク本体部２０の端部領域２１が湾曲したときでも、第１延出部３２ａと第２延出部３２ａとの間隔が予め定められた所定間隔を下回らないようにすることができる。例えば、図９に示すように、マスク着用者の耳５０の付け根の上縁５１と下縁５２との間の長さＬ４を、当該所定間隔として定めることができる。即ち、上記間隔設定機構では、第１延出部３２ａと第２延出部３２ｂとの間の最短距離がマスク本体部２０の端部領域２１の湾曲時に小さくなる点に鑑みて、それを予め補償するように上記の角度α及びβが設定される。これにより、マスク使用時に耳掛け空間３３のマスク上下方向の大きさが所望の大きさよりも狭くなるのが確実に防止される。従って、耳掛け空間３３の所望の形状が確保されることとなり、マスク着用者の耳に耳掛け部３０を引っ掛け易くなり、マスクの装着性向上を図ることができる。
【００６２】
（他の実施の形態）
なお、本発明は上記の実施の形態のみに限定されるものではなく、種々の応用や変形が考えられる。例えば、上記実施の形態を応用した次の各形態を実施することもできる
【００６３】
図１２は、本発明における他の実施の形態における図９と同様の側面図である。本実施形態においては、マスク本体部２０の表面の下方端側において表示要素６０が設けられている。表示要素６０がマスク１０の表面側に位置することによって、使用者は着用の際に容易にマスク１０の表裏面を区別することができる。特に、内側シート２０ｄに外側シート２０ｂよりも肌触りのよい不織布を使用する場合には肌触りに大きな違いがあるので、このようにマスクの表裏面を区別することのできる表示要素６０を設けることによって、確実に肌触りの良い内側シート２０ｄを顔面に当接させることができる。また、表示要素６０をマスク本体部２０の下方端側又は上方端部側（文字表示等をする場合には両端側でもよい）に設けることによって、マスク１０の上下についても区別することができる。
【００６４】
表示要素６０は、マスク本体部２０にエンボス加工を施すことによって形成することができ、例えば、該部位においてマスク本体部２０を表面側から比較的に強く圧縮させることによって、指で触れて表示要素の形状を認識できるようにしてもよい。また、表示要素は、マスク本体部２０の表面側にグラビア印刷、インクジェット印刷、フレキソ印刷などの各種印刷方法によっても形成することができる。さらに、表示要素６０は、マスク本体部２０の裏面側から表面側に向かって局所的に押圧することによって形成された突起部位から形成することもできる。
【００６５】
図示例では、表示要素６０は、マスク本体部２０の下端側において第１方向１１において並んだ複数の略星形の図形から形成されているが、マスクの表面側及び／又は上下の位置を示す漢字、平仮名文字、アルファベット文字や絵柄、さらに、商品の商標、製造者の表記等であってもよい。特に、表示要素６０としてキャラクター等のデザイン性を有する絵柄を付した場合には、意匠的な効果を発揮し、マスク１０の外観が向上する。また、使用者が容易に視認できる限りにおいては、大小を問わず、マスク本体部２０の中央部や端部領域２０，２１，２３近傍に形成されていてもよいし、複数箇所に形成されていてもよい。さらに、中間シート２０ｃの表面側に表示要素６０を設け、外側シート２０ｂを介して視認できるものであってもよい。
【００６６】
上記実施の形態では、マスク本体部２０を３層のシート不織布からなる３層構造とする場合について記載したが、本発明では、シート不織布の数、種類、積層数については必要に応じて適宜選択が可能である。
【００６７】
また、上記実施の形態では、一回使用ないし数回使用を目安とした使い捨てタイプのマスクについて記載したが、マスク本体部２０や耳掛け部３０の素材を適宜選択することによって、洗濯などを行ったうえで繰り返し使用することが可能なタイプのマスクに対し本発明を適用することもできる。
【００６８】
上記実施の形態や種々の変更例の記載に基づいた場合、本発明では、以下の各態様を採用することができる。
【００６９】
（態様１）
「マスク本体部と、前記マスク本体部に連接される耳掛け部と、を備えるマスクであって、
前記マスク本体部は、所定の第１の方向及び前記第１の方向と交差する第２の方向にそれぞれ延在する平面部と、前記平面部上を前記第１の方向に延在して形成される襞と、前記第１の方向上の端部領域と、を有し、
前記耳掛け部は、接合部と、環状部を有し、
前記接合部は、シート状に形成され、前記第２の方向について前記端部領域のほぼ全体にわたり長尺状に延在しつつ前記端部領域に接合され、
前記環状部は、シート状に形成され、前記接合部と一体状とされて前記接合部と共に耳掛け空間を形成し、また前記接合部の前記第２の方向上の一方の縁部領域から延出する第１延出部と、前記接合部の前記第２の方向上の他方の縁部領域から延出して前記第１延出部に連接される第２延出部とを含み、
更に、前記耳掛け部のうち前記マスク本体部との連接部分に、マスク装着時に前記第１延出部及び前記第２延出部の少なくとも一方をマスク着用者の耳の付け根の上縁又は下縁へと当該延出部の弛みを抑えた状態で延在させるための弛み抑制機構が設けられていることを特徴とするマスク」という態様を採り得る。
【００７０】
（態様２）
「態様１に記載のマスクであって、
前記弛み抑制機構は、前記マスク本体部の前記端部領域の延在線と、前記耳掛け部の前記第１延出部の延出線とがなす前記耳掛け空間側の角度が８０°から１４０°までの所定の設定角度に設定されるように前記耳掛け部が前記マスク本体部に連接された連接構造を含み、これによりマスク装着時に前記第１延出部がマスク着用者の耳の付け根の上縁へと当該延出部の弛みを抑えた状態で延在することを特徴とするマスク」という態様を採り得る。
【００７１】
（態様３）
「態様１又は２に記載のマスクであって、
前記弛み抑制機構は、前記マスク本体部の前記端部領域の延在線と、前記耳掛け部の前記第２延出部の延出線とがなす前記耳掛け空間側の角度が７０°から１３０°までの所定の設定角度に設定されるように前記耳掛け部が前記マスク本体部に連接された連接構造の設定角度に設定されるように前記耳掛け部が前記マスク本体部に連接された連接構造を含み、これによりマスク装着時に前記第２延出部がマスク着用者の耳の付け根の下縁へと当該延出部の弛みを抑えた状態で延在することを特徴とするマスク」という態様を採り得る。
【００７２】
（態様４）
「態様１から３のうちのいずれかに記載のマスクであって、
前記マスク本体部は、前記端部領域にて前記襞の前記第２の方向に沿った展開動作が阻止され、且つ前記第１の方向上の両端部領域間の中間領域にて前記襞の前記展開動作が可能とされ、前記中間領域での前記襞の前記展開動作に伴って前記端部領域が湾曲した状態で当該マスクがマスク着用者に装着されるように構成されていることを特徴とするマスク」という態様を採り得る。
【００７３】
（態様５）
「態様１から４のうちのいずれかに記載のマスクであって、
前記接合部及び前記環状部は、単一のシート状不織布で一体状に形成されており、さらに前記接合部が前記マスク本体部の前記端部領域に熱融着によって接合されていることを特徴とするマスク」という態様を採り得る。
【００７４】
（態様６）
「態様５に記載のマスクであって、
前記接合部及び前記環状部は互いに環状に連接されており、前記耳掛け空間が、前記接合部と前記環状部との間に閉じた状態で形成されていることを特徴とするマスク」という態様を採り得る。」
【００７５】
（態様７）
「態様１から６のうちのいずれかに記載のマスクであって、
前記耳掛け部は、前記マスク本体部の前記第１の方向上の両端部領域のそれぞれに接合され、
当該マスクの平面視で前記マスク本体部の外形内に前記両端部領域に接合された両耳掛け部が収まるように構成されていることを特徴とするマスク」という態様を採り得る。
【００７６】
（態様８）
「態様７に記載のマスクであって、
前記両耳掛け部を、前記マスク本体部の外形内で互いに接続する接続部を有することを特徴とするマスク」という態様を採り得る。
【００７７】
（態様９）
「態様８に記載のマスクであって、
当該マスクの平面視で前記マスク本体部の外形内に収まるように接合された単一シート状の耳掛けシートを備え、
前記耳掛けシートは、前記両耳掛け部が前記接続部で互いに接続された状態で同一平面上に延在するように構成されており、これにより当該マスクの平面視で前記マスク本体部の外形内に前記両耳掛け部が収まることを特徴とするマスク」という態様を採り得る。
【００７８】
（態様１０）
「態様９に記載のマスクであって、
前記耳掛けシートは、一方の前記耳掛け部の前記環状部と、他方の前記耳掛け部の前記環状部とが互いに連接する構成であり、その連接部分に前記接続部が設けられていることを特徴とするマスク」という態様を採り得る。
【００７９】
（態様１１）
「態様８から１０のうちのいずれかに記載のマスクであって、
前記接続部は、各耳掛け部を手で引っ張ることによって当該接続部の接続が解除可能となるように構成されていることを特徴とするマスク」という態様を採り得る。
【００８０】
（態様１２）
「態様８から１１のうちのいずれかに記載のマスクであって、
前記接続部は、１又は複数の接続点によって構成されていることを特徴とするマスク」という態様を採り得る。
【００８１】
（態様１３）
「態様１から１２のうちのいずれかに記載のマスクであって、
前記マスク本体部の前記第２の方向上の一方の端部領域に、マスク着用者の鼻上部の形状に適合するように変形可能なノーズフィット部材が設けられていることを特徴とするマスク」という態様を採り得る。
【００８２】
（態様１４）
「態様１から１３のうちのいずれかに記載のマスクであって、
前記マスク本体部に、その表面側から視認可能な表示要素が設けられていることを特徴とするマスク。」という態様を採り得る。
【００８３】
（態様１５）
「態様１４に記載のマスクであって、
前記表示要素は、エンボス加工によって形成されることを特徴とするマスク。」という態様を採り得る。
【００８４】
（態様１６）
「態様１４に記載のマスクであって、
前記表示要素は、印刷によって形成されることを特徴とするマスク。」という態様を採り得る。
【００８５】
上記実施の形態や種々の変更例の記載に基づいた場合、本発明では、以下の各アスペクトを採用することが可能である。
【００８６】
（アスペクト１）
マスク本体部と、前記マスク本体部に連接される耳掛け部と、を備えるマスクであって、
前記マスク本体部は、所定の第１の方向及び前記第１の方向と交差する第２の方向にそれぞれ延在する平面部と、前記平面部上を前記第１の方向に延在して形成される襞と、前記第１の方向上の端部領域と、を有し、
前記耳掛け部は、接合部と、環状部を有し、
前記接合部は、シート状に形成され、前記第２の方向について前記端部領域のほぼ全体にわたり長尺状に延在しつつ前記端部領域に接合され、
前記環状部は、シート状に形成され、前記接合部と一体状とされて前記接合部と共に耳掛け空間を形成し、また前記接合部の前記第２の方向上の一方の縁部領域から延出する第１延出部と、前記接合部の前記第２の方向上の他方の縁部領域から延出して前記第１延出部に連接される第２延出部とを含み、
更に、前記耳掛け部のうち前記マスク本体部との連接部分に、マスク装着時に前記第１延出部及び前記第２延出部の少なくとも一方をマスク着用者の耳の付け根の上縁又は下縁へと当該延出部の弛みを抑えた状態で延在させるための弛み抑制機構が設けられていることを特徴とするマスク。
【００８７】
（アスペクト２）
アスペクト１に記載のマスクであって、
前記弛み抑制機構は、前記マスク本体部の前記端部領域の延在線と、前記耳掛け部の前記第１延出部の延出線とがなす前記耳掛け空間側の角度が８０°から１４０°までの所定の設定角度に設定されるように前記耳掛け部が前記マスク本体部に連接された連接構造を含み、これによりマスク装着時に前記第１延出部がマスク着用者の耳の付け根の上縁へと当該延出部の弛みを抑えた状態で延在することを特徴とするマスク。
【００８８】
（アスペクト３）
アスペクト１に記載のマスクであって、
前記弛み抑制機構は、前記マスク本体部の前記端部領域の延在線と、前記耳掛け部の前記第２延出部の延出線とがなす前記耳掛け空間側の角度が７０°から１３０°までの所定の設定角度に設定されるように前記耳掛け部が前記マスク本体部に連接された連接構造の設定角度に設定されるように前記耳掛け部が前記マスク本体部に連接された連接構造を含み、これによりマスク装着時に前記第２延出部がマスク着用者の耳の付け根の下縁へと当該延出部の弛みを抑えた状態で延在することを特徴とするマスク。
【００８９】
（アスペクト４）
アスペクト１に記載のマスクであって、
前記マスク本体部は、前記端部領域にて前記襞の前記第２の方向に沿った展開動作が阻止され、且つ前記第１の方向上の両端部領域間の中間領域にて前記襞の前記展開動作が可能とされ、前記中間領域での前記襞の前記展開動作に伴って前記端部領域が湾曲した状態で当該マスクがマスク着用者に装着されるように構成されていることを特徴とするマスク。
【００９０】
（アスペクト５）
アスペクト１に記載のマスクであって、
前記接合部及び前記環状部は、単一のシート状不織布で一体状に形成されており、さらに前記接合部が前記マスク本体部の前記端部領域に熱融着によって接合されていることを特徴とするマスク。
【００９１】
（アスペクト６）
アスペクト５に記載のマスクであって、
前記接合部及び前記環状部は互いに環状に連接されており、前記耳掛け空間が、前記接合部と前記環状部との間に閉じた状態で形成されていることを特徴とするマスク。
【００９２】
（アスペクト７）
アスペクト１に記載のマスクであって、
前記耳掛け部は、前記マスク本体部の前記第１の方向上の両端部領域のそれぞれに接合され、
当該マスクの平面視で前記マスク本体部の外形内に前記両端部領域に接合された両耳掛け部が収まるように構成されていることを特徴とするマスク。
【００９３】
（アスペクト８）
アスペクト７に記載のマスクであって、
前記両耳掛け部を、前記マスク本体部の外形内で互いに接続する接続部を有することを特徴とするマスク。
【００９４】
（アスペクト９）
アスペクト８に記載のマスクであって、
当該マスクの平面視で前記マスク本体部の外形内に収まるように接合された単一シート状の耳掛けシートを備え、
前記耳掛けシートは、前記両耳掛け部が前記接続部で互いに接続された状態で同一平面上に延在するように構成されており、これにより当該マスクの平面視で前記マスク本体部の外形内に前記両耳掛け部が収まることを特徴とするマスク。
【００９５】
（アスペクト１０）
アスペクト９に記載のマスクであって、
前記耳掛けシートは、一方の前記耳掛け部の前記環状部と、他方の前記耳掛け部の前記環状部とが互いに連接する構成であり、その連接部分に前記接続部が設けられていることを特徴とするマスク。
【００９６】
（アスペクト１１）
アスペクト８に記載のマスクであって、
前記接続部は、各耳掛け部を手で引っ張ることによって当該接続部の接続が解除可能となるように構成されていることを特徴とするマスク。
【００９７】
（アスペクト１２）
アスペクト８に記載のマスクであって、
前記接続部は、１又は複数の接続点によって構成されていることを特徴とするマスク。
【００９８】
（アスペクト１３）
アスペクト１に記載のマスクであって、
前記マスク本体部の前記第２の方向上の一方の端部領域に、マスク着用者の鼻上部の形状に適合するように変形可能なノーズフィット部材が設けられていることを特徴とするマスク。
【００９９】
（アスペクト１４）
アスペクト１に記載のマスクであって、
前記マスク本体部に、その表面側から視認可能な表示要素が設けられていることを特徴とするマスク。
【０１００】
（アスペクト１５）
アスペクト７に記載のマスクであって、
前記表示要素は、エンボス加工によって形成されることを特徴とするマスク。
【０１０１】
（アスペクト１６）
請求項７に記載のマスクであって、
前記表示要素は、印刷によって形成されることを特徴とするマスク。
【符号の説明】
【０１０２】
１０  マスク
１１  第１の方向
１２  第２の方向
１３  第３の方向
２０  マスク本体部
２０ａ  平面部
２０ｂ  外側シート
２０ｃ  中間シート
２０ｄ  内側シート
２１  端部領域
２２  接合点
２３  端部領域
２４  接合点
２５  収容空間
２６  ノーズフィット部材
２７  襞
２８  中間領域
２９  口元空間
３０  耳掛け部
３０ａ  耳掛けシート
３１  接合部
３２  環状部
３２ａ  第１延出部
３２ｂ  第２延出部
３３  耳掛け空間
３４  接続部
３５,３６，３７，３８  縁部
４１，４２，４３  境界部
４４  頬領域
４５  頬上部領域
４６  頬下部領域
５０  耳
５１  上縁
５２  下縁
６０  表示要素
【図１】
0005901900.tif 000002
【図２】
0005901900.tif 000003
【図３】
0005901900.tif 000004
【図４】
0005901900.tif 000005
【図５】
0005901900.tif 000006
【図６】
0005901900.tif 000007
【図７】
0005901900.tif 000008
【図８】
0005901900.tif 000009
【図９】
0005901900.tif 000010
【図１０】
0005901900.tif 000011
【図１１】
0005901900.tif 000012
【図１２】
0005901900.tif 000013